【手続補正書】
【提出日】平成27年8月26日(2015.8.26)
【手続補正１】
【補正対象書類名】明細書
【補正対象項目名】０００６
【補正方法】変更
【補正の内容】
【０００６】
上記目的を達成するために、本発明の撮像装置は、撮像素子を有する撮像部と、光軸とほぼ直交するように配置された回路基板と、前記撮像部と前記回路基板の間に配置され、吸気口及び排気口を有する空冷ファンと、前記回路基板の背面側に配置された放熱板と、を備え、前記空冷ファンは、前記回路基板で発生した熱を前記撮像部とは異なる方向に排気することを特徴とする。
また、本発明の撮像装置は、撮像素子を有する撮像部と、光軸とほぼ直交するように配置された回路基板と、吸気口及び排気口を有する空冷ファンと、前記回路基板の背面側に配置された放熱板と、を備え、前記撮像部と前記空冷ファンは、前記光軸と直交する方向に延びる同一面上に配置され、前記空冷ファンは、前記回路基板で発生した熱を前記撮像部とは異なる方向に排気することを特徴とする。
また、本発明の撮像装置は、撮像部と、吸気口及び排気口を有する空冷ファンと、前記空冷ファンの吸気口に対応する開口が形成されて前記空冷ファンの背面側に配置され、光軸と直交する方向に延設された複数のフィンを有し、前記複数のフィンの間に、外部から吸気した空気を前記開口を介して前記空冷ファンの吸気口に導く通風路が形成されるヒートシンクと、前記ヒートシンクの背面側に配置される基板と、前記基板の背面側に配置され、前記基板で発生した熱を装置本体の背面カバーに伝える放熱板と、を備え、前記空冷ファン、前記ヒートシンク、前記基板、及び前記放熱板は、光軸方向の寸法が短い扁平な形状とされて、光軸方向を向く面どうしが互いに平行になるように配置されることを特徴とする。
【手続補正２】
【補正対象書類名】特許請求の範囲
【補正対象項目名】全文
【補正方法】変更
【補正の内容】
【特許請求の範囲】
【請求項１】
撮像素子を有する撮像部と、
光軸とほぼ直交するように配置された回路基板と、
前記撮像部と前記回路基板の間に配置され、吸気口及び排気口を有する空冷ファンと、
前記回路基板の背面側に配置された放熱板と、を備え、
前記空冷ファンは、前記回路基板で発生した熱を前記撮像部とは異なる方向に排気することを特徴とする撮像装置。
【請求項２】
前記撮像部、前記空冷ファン、前記基板、及び前記放熱板が前記光軸に沿って配置されることを特徴とする請求項１に記載の撮像装置。
【請求項３】
前記空冷ファンの回転軸の中心が前記撮像部の撮像素子の中心と一致していることを特徴とする請求項１又は２に記載の撮像装置。
【請求項４】
撮像素子を有する撮像部と、
光軸とほぼ直交するように配置された回路基板と、
吸気口及び排気口を有する空冷ファンと、
前記回路基板の背面側に配置された放熱板と、を備え、
前記撮像部と前記空冷ファンは、前記光軸と直交する方向に延びる同一面上に配置され、
前記空冷ファンは、前記回路基板で発生した熱を前記撮像部とは異なる方向に排気することを特徴とする撮像装置。
【請求項５】
さらに、前記空冷ファンと前記回路基板の間に配置されたヒートシンクを備えたことを特徴とする請求項４に記載の撮像装置。
【請求項６】
前記ヒートシンクは、前記光軸と直交する方向に延設された複数のフィンを有することを特徴とする請求項５に記載の撮像装置。
【請求項７】
前記ヒートシンクは、前記ファンの吸気口の開口に対応する開口領域を有し、前記複数のフィンは前記開口領域の外側に配置されることを特徴とする請求項６に記載の撮像装置。
【請求項８】
前記開口領域の中心は、前記空冷ファンの中心と一致していることを特徴とする請求項７に記載の撮像装置。
【請求項９】
前記撮像部、前記空冷ファン、前記ヒートシンク、前記回路基板、および前記放熱板は、前記光軸方向の寸法が短い扁平な形状に形成され、前記光軸方向を向く面同士が互いに平行になるように配置されることを特徴とする請求項５乃至８のいずれか１項に記載の撮像装置。
【請求項１０】
前記空冷ファンと前記ヒートシンクとの間に、吸水性を有する弾性部材が配置されることを特徴とする請求項５乃至９のいずれか１項に記載の撮像装置。
【請求項１１】
前記ヒートシンクは、外部から吸入された空気が前記複数のフィンの間を通って前記ファンの吸気口に流入する前に前記空気の進行方向を変更する方向変更部を有することを特徴とする請求項５乃至１０のいずれか１項に記載の撮像装置。
【請求項１２】
前記ヒートシンクには、前記方向変更部の下方に、前記空気に含まれる異物や液体を貯留する貯留部が設けられることを特徴とする請求項１１に記載の撮像装置。
【請求項１３】
前記貯留部には、吸水性部材又は粘着部材の少なくとも一方が配置されることを特徴とする請求項１２に記載の撮像装置。
【請求項１４】
前記ヒートシンクは、前記基板を向く側に凹凸形状部が形成され、
前記凹凸形状部と前記基板に実装された複数の素子との間には、複数の放熱弾性部材が挟まれた状態で配置され、
前記凹凸形状部は、前記複数の素子の高さに対応して凹凸の高さが異なり、
前記凹凸形状部と前記複数の素子との間に挟まれる前記複数の放熱弾性部材の厚みが均一であることを特徴とする請求項５乃至１３のいずれか１項に記載の撮像装置。
【請求項１５】
前記放熱板は、前記基板で発生した熱を装置本体の背面カバーに伝えることを特徴とする請求項４乃至１４のいずれか１項に記載の撮像装置。
【請求項１６】
撮像部と、
吸気口及び排気口を有する空冷ファンと、
前記空冷ファンの吸気口に対応する開口が形成されて前記空冷ファンの背面側に配置され、光軸と直交する方向に延設された複数のフィンを有し、前記複数のフィンの間に、外部から吸気した空気を前記開口を介して前記空冷ファンの吸気口に導く通風路が形成されるヒートシンクと、
前記ヒートシンクの背面側に配置される基板と、
前記基板の背面側に配置され、前記基板で発生した熱を装置本体の背面カバーに伝える放熱板と、を備え、
前記空冷ファン、前記ヒートシンク、前記基板、及び前記放熱板は、光軸方向の寸法が短い扁平な形状とされて、光軸方向を向く面どうしが互いに平行になるように配置されることを特徴とする撮像装置。
【請求項１７】
前記撮像部、前記空冷ファン、前記ヒートシンク、前記基板、及び前記放熱板が光軸に沿って配置されることを特徴とする請求項１６に記載の撮像装置。
【請求項１８】
前記空冷ファンの回転軸の中心が前記撮像部の撮像素子の中心と一致していることを特徴とする請求項１６又は１７に記載の撮像装置。
【請求項１９】
前記撮像部と前記空冷ファンとは、光軸と直交する方向に平行で、かつ光軸と直交する同一の面に配置されることを特徴とする請求項１６乃至１８のいずれか１項に記載の撮像装置。
【請求項２０】
前記空冷ファンの吸気口と前記ヒートシンクの前記開口との間に、吸水性を有する弾性部材が配置されることを特徴とする請求項１６乃至１９のいずれか１項に記載の撮像装置。
【請求項２１】
前記ヒートシンクは、前記空冷ファンの吸気口の開口に対応する開口領域を有し、前記複数のフィンは前記開口領域の外側に配置されることを特徴とする請求項１６乃至２０のいずれか１項に記載の撮像装置。
【請求項２２】
前記開口領域は円形とされ、前記複数のフィンの前記開口領域の側の延設端は前記開口領域の同心円上に配置されることを特徴とする請求項２１に記載の撮像装置。
【請求項２３】
前記開口領域の中心は、前記空冷ファンの中心と一致していることを特徴とする請求項２１又は２２に記載の撮像装置。
【請求項２４】
前記ヒートシンクは、外部から吸気された空気が前記複数のフィンの間を通って前記空冷ファンの吸気口に流入する前に前記空気の進行方向を変更する方向変更部を有することを特徴とする請求項１６乃至２３のいずれか１項に記載の撮像装置。
【請求項２５】
前記ヒートシンクには、前記方向変更部の下方に、前記空気に含まれる異物や液体を貯留する貯留部が設けられることを特徴とする請求項２４に記載の撮像装置。
【請求項２６】
前記貯留部には、吸水性部材又は粘着部材の少なくとも一方が配置されることを特徴とする請求項２５に記載の撮像装置。
【請求項２７】
前記ヒートシンクは、前記基板を向く側に凹凸形状部が形成され、
前記凹凸形状部と前記基板に実装された複数の素子との間には、複数の放熱弾性部材が挟まれた状態で配置され、
前記凹凸形状部は、前記複数の素子の高さに対応して凹凸の高さが異なり、
前記凹凸形状部と前記複数の素子との間に挟まれる前記複数の放熱弾性部材の厚みが均一であることを特徴とする請求項１６乃至２６のいずれか１項に記載の撮像装置。